(57)【要約】【課題】端末処理にかかる作業時間を低減でき、外部導体が削られることを抑制できる同軸ケーブルの端末処理装置および端末処理方法を提供する。【解決手段】中心導体２２の周囲に絶縁体２３、外部導体２４を順次設けた同軸ケーブル２１の端末処理を行う同軸ケーブルの端末処理装置であって、中心導体２２を逃がすための中心導体逃がし穴５が形成され、先端面で絶縁体２３を押し込む円筒状の絶縁体押し込み部３と、該絶縁体押し込み部３の基端部から一体かつ同軸に延出され、その外径が絶縁体押し込み部３から離れるに従い徐々に拡径するように円錐台形状に形成され、同軸ケーブル２１の端末に押し込まれることにより外部導体２４をテーパ状に拡げるフレアリング部４と、を有するフレアリング部材２を備えた。【選択図】図１
2014146548.tif 000002
【特許請求の範囲】
【請求項１】
中心導体の周囲に絶縁体、外部導体を順次設けた同軸ケーブルの端末処理を行う同軸ケーブルの端末処理装置であって、
前記中心導体を逃がすための中心導体逃がし穴が形成され、先端面で前記絶縁体を押し込む円筒状の絶縁体押し込み部と、該絶縁体押し込み部の基端部から一体かつ同軸に延出され、その外径が前記絶縁体押し込み部から離れるに従い徐々に拡径するように円錐台形状に形成され、前記同軸ケーブルの端末に押し込まれることにより前記外部導体をテーパ状に拡げるフレアリング部と、を有するフレアリング部材を備える
ことを特徴とする同軸ケーブルの端末処理装置。
【請求項２】
前記同軸ケーブルを保持するケーブル保持部と、
該ケーブル保持部に保持された前記同軸ケーブルの端末に前記フレアリング部材を押し込む駆動部と、を備え、
前記駆動部は、回動自在に設けられるレバーと、該レバーの回動に伴い前記フレアリング部材を前記同軸ケーブル側に進出させ、前記同軸ケーブルの端末に押し込むギア機構と、を備える
請求項１記載の同軸ケーブルの端末処理装置。
【請求項３】
前記ケーブル保持部は、
前記同軸ケーブルを保持する切欠きを有し、該切欠きの周縁部で前記同軸ケーブルの外周に固定されたガイドを保持することで、前記フレアリング部材を前記同軸ケーブルの端末に押し込む際に、前記同軸ケーブルが動かないよう規制するガイドストッパを備える
請求項２記載の同軸ケーブルの端末処理装置。
【請求項４】
前記ケーブル保持部は、
前記駆動部と前記ガイドストッパ間の距離を調整することで前記フレアリング部材の押し込み長さを調整する押し込み長さ調整機構を備える
請求項３記載の同軸ケーブルの端末処理装置。
【請求項５】
中心導体の周囲に絶縁体、外部導体を順次設けた同軸ケーブルの端末処理を行う同軸ケーブルの端末処理方法であって、
前記中心導体を逃がすための中心導体逃がし穴が形成され、先端面で前記絶縁体を押し込む円筒状の絶縁体押し込み部と、該絶縁体押し込み部の基端部から一体かつ同軸に延出され、その外径が基端部から離れるに従い徐々に拡径するように円錐台形状に形成され、前記同軸ケーブルの端末に押し込まれることにより前記外部導体をテーパ状に拡げるフレアリング部と、を有するフレアリング部材を用い、
前記フレアリング部材を同軸ケーブルの端末に押し込むことにより、前記絶縁体を押し込むと同時に前記外部導体をテーパ状に拡げる
ことを特徴とする同軸ケーブルの端末処理方法。
【発明の詳細な説明】
【技術分野】
【０００１】
本発明は、同軸ケーブルの端末処理装置および端末処理方法に関するものである。
【背景技術】
【０００２】
高周波用の同軸ケーブルとして、外部導体にアニュラータイプやコルゲートタイプなどの波付き金属管を用いたものが知られている。
【０００３】
このような同軸ケーブルをコネクタに取り付ける場合、端部から中心導体を延出させると共に、外部導体である金属管をテーパ状に拡げるよう端末処理を行う必要がある。
【０００４】
従来は、このような端末処理は、手作業により行われていた。
【０００５】
具体的には、まず、図３に示すような絶縁体押し込み治具３１を用い、絶縁体押し込み治具３１の先端部３２を同軸ケーブルの端末の絶縁体に当接させ、絶縁体を押し込んで内部導体を露出させる作業を行う。絶縁体押し込み治具３１には、内部導体を避けるための内部導体逃がし穴３３が形成されている。
【０００６】
その後、図４に示すような外部導体起こし治具４１を用いて、外部導体をテーパ状に（フレア状に）拡げる作業（フレアリングという）を実施する。外部導体起こし治具４１は、その先端部が４方向に面取りされ先端先細に形成されており、周方向沿って等間隔に４つの角部４２が形成されている。外部導体起こし治具４１にも、絶縁体押し込み治具３１と同様に、内部導体を避けるための内部導体逃がし穴４３が形成されている。
【０００７】
フレアリングの際には、外部導体起こし治具４１の先端部を回転させつつ同軸ケーブルの端末（絶縁体が押し込まれたことにより形成された内部導体と外部導体の隙間）に挿入し、角部４２で外部導体を押し拡げて変形させテーパ状に成形する。外部導体を起こす角度（軸方向に対する角度）はコネクタの内部構造によって決まるが、外部導体を起こす角度が例えば４５度と大きい場合には、一度に成形を行うと角部４２による無理な変形で外部導体が破損してしまうおそれがあるため、先端部のテーパ角度θが小さい（例えば２５度の）外部導体起こし治具４１を用いて外部導体を起こしたあと、さらに先端のテーパ角度θが大きい（例えば４５度の）外部導体起こし治具４１を用いて、外部導体を起こす角度を所望の角度にすることが行われている。
【０００８】
なお、この出願の発明に関連する先行技術文献情報としては、特許文献１がある。
【先行技術文献】
【特許文献】
【０００９】
【特許文献１】特開２００２−３５２９２３号公報
【発明の概要】
【発明が解決しようとする課題】
【００１０】
しかしながら、従来方法では、同軸ケーブルの端末処理時に、絶縁体を押し込む作業とフレアリングの作業の２つの作業を行わなければならず、作業に時間がかかってしまうという問題があった。
【００１１】
さらに、外部導体起こし治具４１の角部４２により外部導体が削られ、外部導体が薄くなり強度が低下してしまうという問題があった。また、外部導体が削られることにより切粉が発生してしまい、発生した切粉が絶縁体に付着して絶縁抵抗不良となってしまうおそれがあった。
【００１２】
本発明は上記事情に鑑み為されたものであり、端末処理にかかる作業時間を低減でき、外部導体が削られることを抑制できる同軸ケーブルの端末処理装置および端末処理方法を提供することを目的とする。
【課題を解決するための手段】
【００１３】
本発明は上記目的を達成するために創案されたものであり、中心導体の周囲に絶縁体、外部導体を順次設けた同軸ケーブルの端末処理を行う同軸ケーブルの端末処理装置であって、前記中心導体を逃がすための中心導体逃がし穴が形成され、先端面で前記絶縁体を押し込む円筒状の絶縁体押し込み部と、該絶縁体押し込み部の基端部から一体かつ同軸に延出され、その外径が基端部から離れるに従い徐々に拡径するように円錐台形状に形成され、前記同軸ケーブルの端末に押し込まれることにより前記外部導体をテーパ状に拡げるフレアリング部と、を有するフレアリング部材を備える同軸ケーブルの端末処理装置である。
【００１４】
前記同軸ケーブルを保持するケーブル保持部と、該ケーブル保持部に保持された前記同軸ケーブルの端末に前記フレアリング部材を押し込む駆動部と、を備え、前記駆動部は、回動自在に設けられるレバーと、該レバーの回動に伴い前記フレアリング部材を前記同軸ケーブル側に進出させ、前記同軸ケーブルの端末に押し込むギア機構と、を備えてもよい。
【００１５】
前記ケーブル保持部は、前記同軸ケーブルを保持する切欠きを有し、該切欠きの周縁部で前記同軸ケーブルの外周に固定されたリング状のガイドを保持することで、前記フレアリング部材を前記同軸ケーブルの端末に押し込む際に、前記ケーブルが動かないよう規制するガイドストッパを備えてもよい。
【００１６】
前記ケーブル保持部は、前記駆動部と前記ガイドストッパ間の距離を調整することで前記フレアリング部材の押し込み長さを調整する押し込み長さ調整機構を備えてもよい。
【００１７】
また、本発明は、中心導体の周囲に絶縁体、外部導体を順次設けた同軸ケーブルの端末処理を行う同軸ケーブルの端末処理方法であって、前記中心導体を逃がすための中心導体逃がし穴が形成され、先端面で前記絶縁体を押し込む円筒状の絶縁体押し込み部と、該絶縁体押し込み部の基端部から一体かつ同軸に延出され、その外径が基端部から離れるに従い徐々に拡径するように円錐台形状に形成され、前記同軸ケーブルの端末に押し込まれることにより前記外部導体をテーパ状に拡げるフレアリング部と、を有するフレアリング部材を用い、前記フレアリング部材を同軸ケーブルの端末に押し込むことにより、前記絶縁体を押し込むと同時に前記外部導体をテーパ状に拡げる同軸ケーブルの端末処理方法である。
【発明の効果】
【００１８】
本発明によれば、端末処理にかかる作業時間を低減でき、外部導体が削られることを抑制できる同軸ケーブルの端末処理装置および端末処理方法を提供できる。
【図面の簡単な説明】
【００１９】
【図１】本実施の形態に係る同軸ケーブルの端末処理装置を示す図であり、（ａ），（ｂ）は斜視図、（ｃ）はフレアリング部の正面図および側面図である。
【図２】図１の同軸ケーブルの端末処理装置におけるガイドストッパ周辺の断面図である。
【図３】従来の同軸ケーブルの端末処理に用いる絶縁体押し込み治具の正面図および側面図である。
【図４】従来の同軸ケーブルの端末処理に用いる外部導体起こし治具の正面図および側面図である。
【発明を実施するための形態】
【００２０】
以下、本発明の実施の形態を添付図面にしたがって説明する。
【００２１】
図１は、本実施の形態に係る同軸ケーブルの端末処理装置を示す図であり、（ａ），（ｂ）は斜視図、（ｃ）はフレアリング部の正面図および側面図である。また、図２は、そのガイドストッパ周辺の断面図である。
【００２２】
図１，２に示すように、同軸ケーブルの端末処理装置１は、中心導体２２の周囲に絶縁体２３、外部導体２４を順次設けた同軸ケーブル２１の端末処理を行うものである。
【００２３】
絶縁体２３は、例えば発泡樹脂を用いた発泡絶縁体であり、外部導体２４は、例えばアニュラータイプやコルゲートタイプなどの波付き金属管である。本実施の形態では、外部導体２４としてアルミニウムからなるアニュラータイプの波付き金属管を用いた。
【００２４】
同軸ケーブルの端末処理装置１は、中心導体２２を逃がすための中心導体逃がし穴５が形成され、先端面で絶縁体２３を押し込む円筒状の絶縁体押し込み部３と、絶縁体押し込み部３の基端部から一体かつ同軸に延出され、その外径が絶縁体押し込み部３から離れるに従い徐々に拡径するように円錐台形状に形成され、同軸ケーブル２１の端末に押し込まれることにより外部導体２４をテーパ状に拡げるフレアリング部４と、を有するフレアリング部材２を備えている。
【００２５】
フレアリング部４の基端部（絶縁体押し込み部３と反対側）には、円筒状の軸部６が一体に形成されている。中心導体逃がし穴５は、絶縁体押し込み部３とフレアリング部４と軸部６とを貫くように形成されている。
【００２６】
つまり、フレアリング部材２は、軸部６の先端部に先端に向かって縮径する円錐台形状のフレアリング部４を一体に設け、そのフレアリング部４の先端から前方に突出するように円筒状の絶縁体押し込み部３を一体に設けたものである。フレアリング部材２は、例えば銅からなる。
【００２７】
絶縁体押し込み部３は、同軸ケーブル２１の絶縁体２３と略同じ径に形成され、フレアリング部４の軸方向に対する傾斜角度であるテーパ角度θは、所望の外部導体２４を起こす角度（接続対象となるコネクタの内部構造により決まる角度）と等しい角度に形成される。
【００２８】
フレアリング部材２を用いて同軸ケーブル２１の端末処理を行う際には、フレアリング部材２を回転させず同軸ケーブル２１の端末に押し込む。これにより、絶縁体押し込み部３により絶縁体２３が押し込まれると同時に、フレアリング部材２により外部導体２４がテーパ状に拡げられ、絶縁体２３の押し込み作業とフレアリングの作業が同時に行われることになる。
【００２９】
ただし、フレアリング部材２を用いて絶縁体２３の押し込み作業とフレアリングの作業を同時に行うためには、大きな押し込み力が必要であり、手作業で行う場合には困難を伴う。
【００３０】
そこで、同軸ケーブルの端末処理装置１では、フレアリング部材２の同軸ケーブル２１への押し込みを無理なく行うために、てこの原理を利用してフレアリング部材２の同軸ケーブル２１への押し込みを行う駆動部７を備えている。
【００３１】
すなわち、同軸ケーブルの端末処理装置１は、同軸ケーブル２１を保持するケーブル保持部８と、ケーブル保持部８に保持された同軸ケーブル２１の端末にフレアリング部材２を押し込む駆動部７と、を備えている。
【００３２】
駆動部７は、回動自在に設けられるレバー（ハンドル）９と、レバー９の回動に伴いフレアリング部材２を同軸ケーブル２１側に進出させ、同軸ケーブル２１の端末に押し込むギア機構１０と、を備える。なお、図１ではギア機構１０の詳細な構成を示していないが、レバー９の回動に伴いフレアリング部材２を同軸ケーブル２１側に進出させることができれば、どのような構成であってもよい。
【００３３】
ケーブル保持部８は、同軸ケーブル２１を保持する切欠き１２を有し、該切欠き１２の周縁部で同軸ケーブル２１の外周に固定されたガイド１３を保持することで、フレアリング部材２を同軸ケーブル２１の端末に押し込む際に、同軸ケーブル２１が動かないよう規制するガイドストッパ１１を備える。ガイドストッパ１１は、板状部材の上端部の中央部に矩形状の切欠き１２を形成してなる。ガイド１３としては、例えば接続対象のコネクタに同軸ケーブル２１のガイド用に設けられる部材を用いることができる。
【００３４】
また、ケーブル保持部８は、駆動部７とガイドストッパ１１間の距離を調整することでフレアリング部材２の押し込み長さを調整する押し込み長さ調整機構１８を備えている。
【００３５】
押し込み長さ調整機構１８は、作業台１７に固定される平行部１４ａと平行部１４ａの駆動部７側から鉛直方向下方に延出されガイドストッパ１１が固定される垂直部１４ｂとを有し、側面視で上下左右反転したＬ字型に形成される支持部１４と、支持部１４の垂直部１４ｂの下端部から駆動部７側に水平に延出されるスライドロッド１５と、駆動部７の下部に一体に設けられ、スライドロッド１５に固定される固定部１６と、を備えている。押し込み長さ調整機構１８では、スライドロッド１５に固定部１６を固定する位置を変更することで、駆動部７とガイドストッパ１１間の距離を調整するように構成されている。なお、押し込み長さ調整機構１８は、駆動部７やフレアリング部材２を作業台１７に対して支持する支持体としての役割も果たしている。
【００３６】
さらに、ケーブル保持部８は、支持部１４の平行部１４ａ上に載置されて同軸ケーブル２１を受けるケーブル受け部材１９を備えている。ケーブル受け部材１９は、同軸ケーブル２１の中心とフレアリング部材２の中心が合うように高さを調整し、かつ、同軸ケーブル２１の軸方向とフレアリング部材２の軸方向（進出方向）とが一致するように同軸ケーブル２１を水平に保持する役割を果たしている。
【００３７】
本実施の形態の作用を説明する。
【００３８】
本実施の形態に係る同軸ケーブルの端末処理装置１では、中心導体２２を逃がすための中心導体逃がし穴５が形成され、先端面で絶縁体２３を押し込む円筒状の絶縁体押し込み部３と、該絶縁体押し込み部３の基端部から一体かつ同軸に延出され、その外径が絶縁体押し込み部３から離れるに従い徐々に拡径するように円錐台形状に形成され、同軸ケーブル２１の端末に押し込まれることにより外部導体２４をテーパ状に拡げるフレアリング部４と、を有するフレアリング部材２を備えている。
【００３９】
このフレアリング部材２を同軸ケーブル２１の端末に押し込むことにより、絶縁体２３を押し込む作業とフレアリングの作業の２つの作業を同時に行うことが可能になり、端末処理にかかる作業時間を低減できる。その結果、端末処理にかかる加工コストを低減できる。
【００４０】
また、本実施の形態では、従来のように回転させながら角部により外部導体２４を押し拡げる方式を採用しておらず、フレアリング部材２を円錐台形状に形成しているため、フレアリング時に外部導体２４が削られることを抑制できる。そのため、外部導体２４が薄くなり強度が低下してしまったり、切粉の発生により絶縁抵抗不良となってしまうことを抑制できる。
【００４１】
また、同軸ケーブルの端末処理装置１では、同軸ケーブル２１を保持するケーブル保持部８と、ケーブル保持部８に保持された同軸ケーブル２１の端末にフレアリング部材２を押し込む駆動部７と、を備え、駆動部７は、回動自在に設けられるレバー９と、レバー９の回動に伴いフレアリング部材２を同軸ケーブル２１側に進出させ、同軸ケーブル２１の端末に押し込むギア機構１０と、を備えている。
【００４２】
このように構成することで、レバー９を固定する部分が支点となり、てこの原理を利用して小さい力で容易に、作業者に負担をかけることなくフレアリング部材２を押し込むことが可能になり、端末処理にかかる作業時間を大幅に低減することが可能になる。
【００４３】
実際に従来の端末処理と本発明の端末処理の作業時間を比較したところ、本発明では、従来の端末処理の作業時間と比較して、作業時間を１２秒短縮することができた。同軸ケーブル２１の両端部に端末処理を行う場合、従来と比較して１本あたりの端末処理の作業時間を２４秒短縮できることとなり、その効果は非常に大きい。
【００４４】
また、従来の手作業では、絶縁体２３を押し込む距離を作業者の手の感覚により判断するしかなくインピーダンスが安定しなかったり、外部導体２４のフレアリング後の形状にばらつきが生じるなど、作業者の熟練度等による品質のばらつきが大きかったが、同軸ケーブルの端末処理装置１を用いることにより、作業者の熟練度によらず均一な品質を得ることが可能になり、作業のばらつきによる特性変動を抑制できる。
【００４５】
特に、外部導体２４がアルミニウムなど柔らかい材質からなる場合には、手作業では外部導体２４のフレアリング後の形状を均一に仕上げるのが困難であるが、本発明によれば、このような場合でも、均一な品質を期待できる。
【００４６】
さらに、従来は所望の外部導体２４を起こす角度が例えば４５度と大きい場合には、外部導体２４の破損を防ぐために２回に分けてフレアリングを行っていたが、本実施の形態では、従来のように回転させながら角部により外部導体２４を押し拡げる方式ではなく、フレアリング部材２を回転させずに同軸ケーブル２１の端末に押し込む方式であるため、外部導体２４を破損させることなく１度の作業で所望の角度に外部導体２４を起こすことができ、端末処理にかかる作業時間をさらに低減できる。
【００４７】
本発明は上記実施の形態に限定されるものではなく、本発明の趣旨を逸脱しない範囲で種々の変更を加え得ることは勿論である。
【符号の説明】
【００４８】
１  同軸ケーブルの端末処理装置
２  フレアリング部材
３  絶縁体押し込み部
４  フレアリング部
５  中心導体逃がし穴
６  軸部
７  駆動部
８  ケーブル保持部
【図１】
2014146548.tif 000003
【図２】
2014146548.tif 000004
【図３】
2014146548.tif 000005
【図４】
2014146548.tif 000006